(57)【要約】【課題】フィラメントに被着しているエミッタの残量によらずに、該フィラメントの温度が適切な温度に昇温するように該フィラメントの予熱を行うことができると共に、その予熱に要する時間の短縮化を図ることができる方法を提供する。【解決手段】フィラメント５の通電・予熱を行う予熱通電工程は、フィラメント５に所定値の電圧を印加しつつ、その所定値の電圧の印加の開始直後のフィラメント５の通電電流に関する観測対象量であって、該フィラメント５に被着しているエミッタの残量に応じて変化する観測対象量ΔＩｒを観測するフィラメント電流観測工程と、蛍光ランプ１の点灯開始時におけるフィラメント５の温度が一定の温度Ｔemp1に保たれるように、観測対象量ΔＩｒに応じてフィランメント５の印加電圧を調整する予熱電圧調整工程とから成る。【選択図】図２
2009217945.tif 000002
【特許請求の範囲】
【請求項１】
熱電子放出用のエミッタが被着されたフィラメントを放電電極として備える熱陰極蛍光ランプの点灯開始前に、前記フィラメントに通電して該フィラメントを予熱する予熱通電工程を有する熱陰極蛍光ランプの始動方法において、
前記予熱通電工程は、前記フィラメントに第１所定値の電圧を印加して該フィラメントに通電しつつ、該第１所定値の電圧の印加の開始直後の該フィラメントの通電電流に関する観測対象量であって、該フィラメントに被着している前記エミッタの残量に応じて変化する観測対象量を観測するフィラメント電流観測工程と、前記熱陰極蛍光ランプの点灯開始時における前記フィラメントの温度が一定の温度に保たれるように、前記観測対象量に応じて前記フィランメントの印加電圧を調整する予熱電圧調整工程とから成ることを特徴とする熱陰極蛍光ランプの始動方法。
【請求項２】
請求項１記載の熱陰極蛍光ランプの始動方法において、前記フィラメント電流観測工程は、前記第１所定値の電圧の前記フィラメントへの印加を開始してから第１所定時間の経過時における該フィラメントの通電電流値を計測し、その計測値と、当該通電電流値の初期値との差分を、前記観測対象量として観測する工程であることを特徴とする熱陰極蛍光ランプの始動方法。
【請求項３】
請求項１または２記載の熱陰極蛍光ランプの始動方法において、前記予熱電圧調整工程は、前記フィラメント電流観測工程の終了時から第２所定時間の経過時までの期間において、前記観測対象量により示される前記エミッタの残量が少なくなるに伴い、該期間での前記フィラメントの印加電圧の平均値が小さくなるように該フィラメントの印加電圧を調整する工程であることを特徴とする熱陰極蛍光ランプの始動方法。
【請求項４】
請求項１または２記載の熱陰極蛍光ランプの始動方法において、前記予熱電圧調整工程は、前記フィラメント電流観測工程の終了時から第２所定時間の経過時までの期間において、該期間の開始時から前記第２所定時間よりも短い第３所定時間の経過時まで、前記フィラメントの印加電圧を第２所定値に保持し、該第３所定時間の経過時から該期間の終了時まで、前記フィラメントの印加電圧を、前記観測対象量により示される前記エミッタの残量が少なくなるに伴い、小さくなるように前記第２所定値以下で設定した設定電圧値に保持する工程であることを特徴とする熱陰極蛍光ランプの始動方法。
【請求項５】
請求項１または２記載の熱陰極蛍光ランプの始動方法において、前記予熱電圧調整工程は、前記フィラメント電流観測工程の終了時から第２所定時間の経過時までの期間において、該期間の開始時から、前記観測対象量により示される前記エミッタの残量が少なくなるに伴い、短くなるように前記第２所定時間以下で設定した設定時間の経過時まで、前記フィラメントの印加電圧を第２所定値に保持し、該設定時間の経過時から前記第２所定時間と設定時間との差分の時間だけ、前記フィラメントの印加電圧を前記第２所定値よりも小さい第３所定値に保持する工程であることを特徴とする熱陰極蛍光ランプの始動方法。
【発明の詳細な説明】
【技術分野】
【０００１】
本発明は、熱電子放出用のエミッタを被着したフィラメントを放電電極として有する熱陰極蛍光ランプの始動方法に関する。
【背景技術】
【０００２】
熱陰極蛍光ランプでは、その点灯開始前に、フィラメントに通電して該フィラメントを予熱し、蛍光ランプの点灯開始時（フィラメントの放電開始時）に、フィラメントに被着したエミッタが熱電子を円滑に放出し得るようにしておくことが一般に行われている。例えば、特許文献１には、熱陰極蛍光ランプの点灯開始前に、フィラメントに一定の電圧を印加して、フィラメントを予熱する技術が記載されている。なお、特許文献１に見られる技術では、蛍光ランプの点灯開始後に、フィラメントの温度が急激に高くなるのを防止するために、蛍光ランプの点灯開始後は、フィラメントの予熱時よりも、フィラメントに印加する電圧を下げるようにしている。
【特許文献１】特開平５−８９９８２号公報
【発明の開示】
【発明が解決しようとする課題】
【０００３】
ところで、熱陰極蛍光ランプでは、点灯開始時におけるフィラメントの温度が低すぎると、該エミッタのフィラメントに被着しているエミッタのスパッタリングが発生しやすい。そして、このようなスパッタリングが発生すると、エミッタが飛散するため、熱電子を適切に放出し得るエミッタが少なくなって、蛍光ランプの寿命が短くなる。また、フィラメントの温度が予熱によって高くなり過ぎると、該フィラメントに被着しているエミッタの蒸発が発生し、ひいては、熱電子を適切に放出し得るエミッタが少なくなって、蛍光ランプの寿命が短くなる。
【０００４】
従って、熱陰極蛍光ランプの始動時における各フィラメントの予熱は、常に、前記エミッタのスパッタリングや蒸発を十分に抑制し得る適切な温度（例えば８５０°Ｃ程度の温度）まで上昇するように行うことが望ましい。
【０００５】
また、熱陰極蛍光ランプを点灯させる際には、その点灯ができるだけ早期に開始されることが望ましいことから、各フィラメントの予熱は、できるだけ短時間で終了することが望ましい。
【０００６】
しかるに、前記特許文献１に見られるように、フィラメントに一定の電圧を印加して、該フィラメントの予熱を行う技術では、以下に示す理由によって、上記の要望を十分に満たすことができないものとなっていた。
【０００７】
すなわち、熱陰極蛍光ランプのトータルの点灯時間の増加に伴い、各フィラメントに被着しているエミッタが消費され、該エミッタの残量が徐々に少なくなっていく。そして、このように、エミッタの被着量が少なくなると、そのエミッタを含めたフィラメントの熱容量や抵抗値が減少する。このため、特許文献１のように、熱陰極蛍光ランプのフィラメントの予熱時に該フィラメントに印加する電圧を常に一定にすると、エミッタの残量が少なくなった段階でのフィラメントに予熱時に、該フィラメントの温度が前記の適切な温度よりも過剰に高い温度（エミッタの蒸発が発生するような温度）まで上昇してしまう恐れがある。
【０００８】
そして、これを回避けるために、予熱時にフィラメントに印加する電圧を低めの電圧にすると、エミッタの残量が比較的多い段階では、該フィラメントの温度が適切な温度まで上昇するのに要する時間が長くなる。ひいては、フィラメントの予熱に必要な時間が長くなって、蛍光ランプの点灯開始が遅くなるという不都合がある。
【０００９】
本発明は、かかる背景に鑑みてなされたものであり、熱陰極蛍光ランプの点灯開始前に、フィラメントに被着しているエミッタの残量によらずに、該フィラメントの温度が適切な温度に昇温するように該フィラメントの予熱を行うことができると共に、その予熱に要する時間の短縮化を図ることができる熱陰極蛍光ランプの始動方法を提供することを目的とする。
【課題を解決するための手段】
【００１０】
本発明の熱陰極蛍光ランプの始動方法は、かかる目的を達成するために、熱電子放出用のエミッタが被着されたフィラメントを放電電極として備える熱陰極蛍光ランプの点灯開始前に、前記フィラメントに通電して該フィラメントを予熱する予熱通電工程を有する熱陰極蛍光ランプの始動方法において、前記予熱通電工程は、前記フィラメントに第１所定値の電圧を印加して該フィラメントに通電しつつ、該第１所定値の電圧の印加の開始直後の該フィラメントの通電電流に関する観測対象量であって、該フィラメントに被着している前記エミッタの残量に応じて変化する観測対象量を観測するフィラメント電流観測工程と、前記熱陰極蛍光ランプの点灯開始時における前記フィラメントの温度が一定の温度に保たれるように、前記観測対象量に応じて前記フィランメントの印加電圧を調整する予熱電圧調整工程とから成ることを特徴とする（第１発明）。
【００１１】
ここで、本願発明者などの各種実験、検討によれば、熱陰極蛍光ランプのフィラメントに一定値の電圧を印加するようにしたとき、その印加の開始直後のフィラメントの通電電流は、該フィラメントに被着しているエミッタの残量に応じた変化を呈する。具体的には、フィラメントへの一定値の電圧の印加直後に、該フィラメントの通電電流は、所謂ラッシュ電流によって瞬時的に急増し、その後、定常値に減少していく。この場合、フィラメントの通電電流がラッシュ電流のピーク値（極大値）に達した後における該通電電流の減衰速度や最終的な定常値は、該フィラメントに被着しているエミッタの残量に応じて変化する傾向がある。
【００１２】
そこで、第１発明では、前記予熱通電工程において、まず、前記フィラメント電流観測工程の処理を実行し、前記フィラメントに第１所定値の電圧を印加して該フィラメントに通電しつつ、前記観測対象量を観測する。そして、このフィラメント電流観測工程に続く前記予熱電圧調整工程では、前記観測対象量に応じて、フィラメントの印加電圧を調整する。この場合、前記観測対象量は、フィラメントに被着しているエミッタの残量に応じて変化するので、この観測対象量に応じて予熱電圧調整工程でのフィラメントの印加電圧を調整することで、該エミッタの残量に応じてフィラメントの温度の上昇形態を調整することができる。ひいては、前記熱陰極蛍光ランプの点灯開始時における前記フィラメントの温度が一定の温度に保たれるようにすることができる。ここで、「熱陰極蛍光ランプの点灯開始時におけるフィラメントの温度が一定の温度に保たれる」ということは、熱陰極蛍光ランプの各回の始動毎に、該蛍光ランプの点灯開始時におけるフィラメントの温度が、フィラメントに被着しているエミッタの残量によらずに、ほぼ同一の温度に保たれるということを意味する。
【００１３】
従って、第１発明によれば、熱陰極蛍光ランプの点灯開始前に、フィラメントに被着しているエミッタの残量によらずに、該フィラメントの温度が適切な温度に昇温するように該フィラメントの予熱を行うことができる。また、予熱電圧調整工程でのフィラメントの印加電圧を調整することで、該エミッタの残量に応じてフィラメントの温度の上昇形態を調整することができることから、フィラメントの温度の上昇速度を調整することができる。ひいては、フィラメントが適切な温度に上昇するまでの時間を、エミッタの残量によらずにできるだけ短くなるようにすることができ、該フィラメントの予熱に要する時間の短縮化を図ることができる。
【００１４】
かかる第１発明では、前記フィラメント電流観測工程は、例えば、前記第１所定値の電圧の前記フィラメントへの印加を開始してから第１所定時間の経過時における該フィラメントの通電電流値を計測し、その計測値と、当該通電電流値の初期値との差分を、前記観測対象量として観測する工程である（第２発明）。
【００１５】
すなわち、前記したように、フィラメントの通電電流がラッシュ電流のピーク値（極大値）に達した後における該通電電流の減衰速度が、該フィラメントに被着しているエミッタの残量に応じて変化することから、前記第１所定値の電圧の前記フィラメントへの印加を開始してから第１所定時間の経過時における該フィラメントの通電電流値を計測したとき、その計測値と該通電電流値の初期値との差分（計測値の初期値からの変化量）が、フィラメントに被着しているエミッタの残量に応じて変化する。なお、前記通電電流値の初期値は、熱陰極蛍光ランプが新品状態もしくはこれに近い状態であるとき（フィラメントに被着しているエミッタの残量が、蛍光ランプの製造時の当初の被着量と同一、もしくはほぼ同一となっている状態）での、前記通電電流値の値を意味する。
【００１６】
従って、第２発明によれば、前記通電電流値の計測値と初期値との差分を前記観測対象量として観測することで、エミッタの残量に応じた観測対象量を適切に取得することができる。
【００１７】
また、前記第１発明または第２発明においては、前記予熱電圧調整工程は、前記フィラメント電流観測工程の終了時から第２所定時間の経過時までの期間において、前記観測対象量により示される前記エミッタの残量が少なくなるに伴い、該期間での前記フィラメントの印加電圧の平均値が小さくなるように該フィラメントの印加電圧を調整する工程であることが好ましい（第３発明）。
【００１８】
すなわち、前記エミッタの残量が少なくなるに伴い、該エミッタを含めた前記フィラメントの熱容量や抵抗値が小さくなる。このため、第３発明のように、予熱電圧調整工程でのフィラメントの印加電圧を調整することによって、予熱通電工程でのフィラメントのトータルの温度上昇量が、エミッタの残量によらずに、ほぼ同じになるようにすることができる。ひいては、熱陰極蛍光ランプの点灯開始時におけるフィラメントの温度を一定の温度に保つことができる。
【００１９】
この第３発明のようにフィラメントを予熱するための前記予熱電圧調整工程のより具体的な形態としては、次のような形態が挙げられる。
【００２０】
すなわち、その一つの形態では、前記予熱電圧調整工程は、例えば、前記フィラメント電流観測工程の終了時から第２所定時間の経過時までの期間において、該期間の開始時から前記第２所定時間よりも短い第３所定時間の経過時まで、前記フィラメントの印加電圧を第２所定値に保持し、該第３所定時間の経過時から該期間の終了時まで、前記フィラメントの印加電圧を、前記観測対象量により示される前記エミッタの残量が少なくなるに伴い、小さくなるように前記第２所定値以下で設定した設定電圧値に保持する工程によって構成される（第４発明）。
【００２１】
この第４発明によれば、前記予熱電圧調整工程の開始時から終了時までの期間のうち、前記第３所定時間の経過時までは、フィラメントの印加電圧が前記第２所定値に保持されるので、エミッタの残量が少なくなるに伴い（ひいては、該エミッタを含めたフィラメントの熱容量や抵抗値が小さくなるに伴い）、該フィラメントの温度の上昇速度が速くなる。そして、前記第３所定時間の経過時から、フィラメントの印加電圧が、前記観測対象量に応じて設定した設定電圧値に保持されるので、エミッタの残量が少なくなるに伴い、フィラメントの温度の上昇速度が遅くなる。その結果、予熱通電工程でのフィラメントのトータルの温度上昇量が、エミッタの残量によらずに、ほぼ同じになるようにすることができる。ひいては、熱陰極蛍光ランプの点灯開始時におけるフィラメントの温度を一定の温度に保つことができる。
【００２２】
また、他の一つの形態では、前記予熱電圧調整工程は、例えば、前記予熱電圧調整工程は、前記フィラメント電流観測工程の終了時から第２所定時間の経過時までの期間において、該期間の開始時から、前記観測対象量により示される前記エミッタの残量が少なくなるに伴い、短くなるように前記第２所定時間以下で設定した設定時間の経過時まで、前記フィラメントの印加電圧を第２所定値に保持し、該設定時間の経過時から前記第２所定時間と設定時間との差分の時間だけ、前記フィラメントの印加電圧を前記第２所定値よりも小さい第３所定値に保持する工程により構成される（第５発明）。
【００２３】
この第４発明によれば、前記予熱電圧調整工程の開始時から終了時までの期間のうち、前記観測対象量に応じて設定した設定時間の経過時までは、フィラメントの印加電圧が前記第２所定値に保持されるので、エミッタの残量が少なくなるに伴い（ひいては、該エミッタを含めたフィラメントの熱容量や抵抗値が小さくなるに伴い）、該フィラメントの温度の上昇速度が速くなる。そして、前記設定時間の経過時から、前記第２所定時間と設定時間との差分の時間（第２所定時間から設定時間を差し引いた残余の時間）だけ、フィラメントの印加電圧が、第２所定値よりも小さい第３所定値に保持されるので、エミッタの残量が少なくなるに伴い、当該差分の時間内のフィラメントの温度の上昇速度が遅くなる。その結果、予熱通電工程でのフィラメントのトータルの温度上昇量が、エミッタの残量によらずに、ほぼ同じになるようにすることができる。ひいては、熱陰極蛍光ランプの点灯開始時におけるフィラメントの温度を一定の温度に保つことができる。
【００２４】
なお、前記第４発明および第５発明では、上記のように予熱電圧調整工程でのフィラメントの印加電圧を調整することによって、前記第３発明と同様に、該予熱電圧調整工程の開始時から終了時までの期間におけるフィラメントの印加電圧の平均値が、エミッタの残量が少なくなるに伴い、小さくなる。
【００２５】
また、第４発明および第５発明におけるフィラメントの印加電圧に関する前記第２所定値は、必ずしも、前記第１所定値と異なる値である必要はなく、第１所定値と同じ値でもよい。
【発明を実施するための最良の形態】
【００２６】
本発明の第１実施形態を図１〜図４を参照して説明する。図１は、本実施形態における熱陰極蛍光ランプとその駆動回路の要部構成とを概略的に示す図、図２〜図４は該蛍光ランプのフィラメントの予熱作動を説明するためのグラフである。
【００２７】
図１に示すように、本実施形態の熱陰極蛍光ランプ１は、図示しない蛍光体が内周面に塗布された蛍光管３と、この蛍光管３の内部の両端部にそれぞれ設けられた一対の放電電極としてのフィラメント５，５とを備える。各フィラメント５には、熱電子放出用の電子放射性物質であるエミッタ（図示省略）が被着されている。エミッタの材質は、例えばバリウム、ストロンチウム、カルシウムなどの酸化物である。
【００２８】
なお、蛍光管３は直管である必要はなく、環状のものや屈曲した形状のものであってもよい。
【００２９】
本実施形態では、この熱陰極蛍光ランプ１の駆動回路７には、両フィラメント５，５のそれぞれに予熱用の交流電流を流すフィラメント予熱回路９と、フィラメント予熱回路９に交流電力を供給すると共に該フィラメント予熱回路９から各フィラメント５に印加される電圧（交流電圧）を制御する発振・制御回路１１と、フィラメント予熱回路９から両フィラメント５，５に流れる電流をそれぞれ検出する電流検出回路１３，１３とが備えられている。
【００３０】
この場合、フィラメント予熱回路９は、発振・制御回路１１の制御によって、各フィラメント５毎に、各フィラメント５に印加する電圧を変更し得るように構成されている。例えば、フィラメント予熱回路９は、各フィラメント５に二次巻線を接続したトランスを各フィラメント５毎に備え、その各トランスの一次巻線の入力電圧を変化させることによって該トランスから各フィラメント５への印加電圧が変更されるようになっている。
【００３１】
なお、フィラメント予熱回路９は、各フィラメント５に印加する電圧を連続的に変化させ得るものでもよいが、複数種類の電圧に段階的に変化させ得るものでもよい。
【００３２】
また、発振・制御回路１１には、電流検出回路１３，１３の出力が入力されるようになっている。そして、発振・制御回路１１は、各電流検出回路１３で検出された各フィラメント５の通電電流を参照しつつ、フィラメント予熱回路９から各フィラメント５への印加電圧を制御する。この場合、フィラメント予熱回路９が、例えば上記の如く各フィラメント５毎のトランスを備える回路である場合には、各トランスの一次巻線の入力電圧をインバータ回路などを介して制御することによって各フィラメント５への印加電圧を制御することが可能である。
【００３３】
なお、図示は省略するが、駆動回路７は、蛍光ランプ１の点灯中（フィラメント５，５間の放電中）に、発振・制御回路１１の制御によって両フィラメント５，５間に高周波の交流電圧を印加する回路も備える。
【００３４】
次に、本実施形態の蛍光ランプ１の始動に関する作動を図２〜図４を参照して説明する。図２（ａ），（ｂ）は、蛍光ランプ１の始動時における各フィラメント５の印加電圧の経時変化と、それに対応する該フィラメント５の温度の経時変化とをそれぞれ例示するグラフ、図３（ａ），（ｂ）は、各フィラメント５の印加電圧の経時変化と、それに対応する該フィラメント５の通電電流の経時変化とをそれぞれ例示するグラフ、図４は、後述する観測対象量ΔＩｒと可変設定電圧値Ｖｂとの間の相関関係を示すグラフである。
【００３５】
図２を参照して、蛍光ランプ１の点灯時の動作は、各フィラメント５に通電して該フィラメント５を予熱する（ひいてはエミッタを予熱する）予熱通電工程の動作と、両フィラメント５，５間での放電による蛍光ランプ１の点灯を行う放電点灯工程の動作とに大別される。そして、蛍光ランプ１の始動時には、予熱通電工程の動作を経て、放電点灯工程の動作（蛍光ランプ１の点灯動作）が開始される。
【００３６】
本実施形態では、予熱通電工程は、所定値Ｖａの電圧（交流電圧）を各フィラメント５に印加しつつ、各フィラメント５の通電電流に関する後述の観測対象量を観測するフィラメント電流観測工程と、該観測対象量に応じて各フィラメント５の印加電圧を調整する予熱電圧調整工程とからなる。そして、各フィラメント５毎に各別に、これらのフィラメント電流観測工程および予熱電圧調整工程に係わる制御処理が、前記発振・制御回路１１により順次実行される。なお、各フィラメント５の印加電圧は交流電圧であるので、各フィラメント５の印加電圧や通電電流の値は、例えば振幅値もしくは実効値を意味する。
【００３７】
この場合、フィラメント電流観測工程の制御処理は、予熱通電工程の開始時（時刻t0）から、所定時間Ｔ１が経過するまで（時刻t1）の期間で実行され、予熱電圧調整工程の制御処理は、フィラメント電流観測工程の終了時（時刻t1）から、所定時間Ｔａが経過するまで（時刻t3）の期間で実行される。所定時間Ｔ１，Ｔａは、あらかじめ定められた固定値である。従って、各フィラメント５毎の予熱通電工程のトータルの時間（＝Ｔ１＋Ｔａ）は、固定的な一定時間である。以降の説明では、上記所定時間Ｔ１を電流観測既定時間Ｔ１、所定時間Ｔａを電圧調整既定時間Ｔａ、予熱通電工程のトータルの時間（Ｔ１＋Ｔａ）を予熱通電既定時間という。Ｔ１、Ｔａは、それぞれ例えば０．３秒、１．５秒である。
【００３８】
補足すると、電流観測既定時間Ｔ１は、本発明における第１所定時間に相当し、電圧調整既定時間Ｔａは、本発明における第２所定時間に相当する。
【００３９】
予熱通電工程のうちのフィラメント電流観測工程の制御処理は、次のように実行される。すなわち、発振・制御回路１１は、各フィラメント５に所定値Ｖａの電圧を印加するように前記フィラメント予熱回路９を制御しながら、その所定値Ｖａの電圧の印加開始時（時刻t0）からの経過時間を逐次計時する。なお、所定値Ｖａはあらかじめ定められた固定値であり、以下、既定電圧値Ｖａという。この既定電圧値Ｖａは、本発明における第１所定値に相当すると共に、第２所定値に相当する。
【００４０】
次いで、発振・制御回路１１は、各フィラメント５毎に、既定電圧値Ｖａの電圧の印加開始時（時刻t0）から前記電流観測既定時間Ｔ１が経過した時（時刻t1）に、各電流検出回路１３の出力を取得し、その出力から、該時刻t1での各フィラメント５の通電電流値（以下、基準時電流値という）を計測する。そして、発振・制御回路１１は、蛍光ランプ１の初回の始動時のフィラメント電流観測工程においては、各フィラメント５毎の基準時電流値の計測値Ｉrxを、該基準時電流値の初期値Ｉrx0として図示しないメモリに記憶保持する。さらに、発振・制御回路１１は、初回を含む各回の蛍光ランプ１の始動時のフィラメント電流観測工程において、各フィラメント５毎に、基準時電流値の初期値Ｉrx0と、今回の計測値Ｉrxとの差分である基準時電流変化量ΔＩｒ（＝Ｉrx−Ｉrx0）を前記観測対象量として算出する。なお、蛍光ランプ１の初回の始動時にはＩrx＝Ｉrx0であるから、ΔＩｒ＝０となる。
【００４１】
ここで、このようにして求められる観測対象量ΔＩｒについて図３を参照して説明する。図３（ａ）に示すように、時刻t0から各フィラメント５に一定値の電圧（図示例では、前記既定電圧値Ｖａの電圧）を印加したとき、該フィラメント５の通電電流は、図３（ｂ）のグラフａ，ｂに例示すように変化する。すなわち、フィラメント５への電圧の印加直後に、該フィラメント５に所謂ラッシュ電流が流れるため、該フィラメント５の通電電流は、瞬時的に急増し、その後、定常値に減少していく。この場合、フィラメント５の通電電流がラッシュ電流のピーク値（極大値）に達した後における該通電電流の減衰速度や最終的な定常値は、該フィラメント５に被着しているエミッタの残量に応じて変化する傾向がある。
【００４２】
より詳しくは、エミッタの残量が少なくなるに伴い、フィラメント５の通電電流のピーク値からの減衰速度が速くなると共に、該通電電流の最終的な定常値が小さくなる。例えば、蛍光ランプ１の点灯が未だ行われておらず、エミッタが消費されていない初期状態（蛍光ランプ１の新品状態）においては、図３（ｂ）のグラフａで例示するように、フィラメント５の通電電流がピーク値から減少していく。これに対して、蛍光ランプ１のトータルの点灯時間が増加し、エミッタの消費がある程度進行した段階では、図３（ｂ）のグラフｂで例示するように、初期状態（グラフａ）よりも、フィラメント５の通電電流のピーク値からの減衰速度が速くなると共に、該通電電流の最終的な定常値が小さくなる。
【００４３】
このため、各フィラメント５毎の観測対象量としての前記基準時電流変化量ΔＩｒ（＝Ｉrx0−Ｉrx）は、各フィラメント５に被着しているエミッタの残量に応じて変化し、該残量が少なくなるに伴い、基準時電流変化量ΔＩｒの大きさ（絶対値）が大きくなっていく。そこで、本実施形態では、この基準時電流変化量ΔＩｒを、エミッタの残量に応じて変化する観測対象量として、フィラメント電流観測工程で求めるようにした。
【００４４】
補足すると、上記のような基準時電流変化量ΔＩｒと、エミッタの残量との相関性は、基準時電流値を計測する時刻t1（換言すれば、ΔＩｒの観測タイミング）が、フィラメント５への電圧の印加を開始した直後（前記ラッシュ電流が流れた直後）のタイミングであって、且つ該フィラメント５の通電・発熱に伴う実際の温度上昇がほとんど発生していないタイミング（フィラメント５の実際の温度が、電圧の印加を開始してからほぼ一定に保たれるようなタイミング）である場合に、顕著に現れる。従って、前記電流観測既定時間Ｔ１は、その時間内での、フィラメント５の実際の温度上昇が十分に微小なものとなるような短い時間に設定しておくことが望ましい。
【００４５】
また、本実施形態では、基準時電流変化量ΔＩｒを、エミッタの残量に応じて変化する観測対象量として求めるようにしたが、例えば、フィラメント電流観測工程で、各フィラメント５の通電電流の減衰時の時間的変化率（減衰速度）を計測し、その計測値と初期値（蛍光ランプ１の初回の始動時における当該時間的変化率）との差分を、観測対象量として求めるようにしてもよい。
【００４６】
また、本実施形態では、観測対象量ΔＩｒの初期値が、個々の蛍光ランプ１毎に、その初回の始動時のフィラメント電流観測工程で計測されて、メモリに記憶保持されるようになっているが、必ずしも、個々の蛍光ランプ１毎に、観測対象量ΔＩｒの初期値を計測する必要はない。例えば、同一品種の蛍光ランプ１における各フィラメント５のエミッタの初期の被着量（蛍光ランプ１の製造当初の被着量）が、個々の蛍光ランプ１で、さほどばらつきを生じないような場合には、蛍光ランプ１の品種毎に、観測対象量ΔＩｒの代表的な（標準的な）初期値を実験的に特定しておき、それをメモリに事前に記憶保持しておくようにしてもよい。
【００４７】
上記したフィラメント電流観測工程に続く前記予熱電圧調整工程の制御処理は、次のように実行される。すなわち、図２を参照して、発振・制御回路１１は、フィラメント電流観測工程の終了時（時刻t1）から、所定時間Ｔ２（＜電圧調整既定時間Ｔａ）が経過するまで（時刻t2）の期間では、各フィラメント５の印加電圧を、フィラメント電流観測工程と同じ電圧値、すなわち、前記既定電圧値Ｖａに保持するようにフィラメント予熱回路９を制御する。続いて、所定時間Ｔ２の経過時（時刻t2）から予熱電圧調整工程の終了時（時刻t3）までの期間（時刻t2から所定時間Ｔ３（＝Ｔａ−Ｔ２）が経過するまでの期間）では、各フィラメント５の印加電圧を、該フィラメント５に関するフィラメント電流観測工程で求めた観測対象量ΔＩｒに応じて可変的に設定した設定電圧値Ｖｂ（以下、可変設定電圧値Ｖｂという）に保持するようにフィラメント予熱回路９を制御する。なお、上記所定時間Ｔ２（ひいては所定時間Ｔ３）は、あらかじめ定めた固定値である。以降、予熱電圧調整工程の期間のうちの、前側の所定時間Ｔ２の期間を前側電圧調整期間、後側の所定時間Ｔ３の期間を後側電圧調整期間という。
【００４８】
補足すると、前側電圧調整期間の時間Ｔ２は、本発明における第３所定時間に相当する。
【００４９】
本実施形態では、上記後側電圧調整期間での可変設定電圧値Ｖｂは、次のように設定される。すなわち、図４のグラフで示すように、観測対象量ΔＩｒと可変設定電圧値Ｖｂとの間の相関関係があらかじめ設定されており、この相関関係を表すデータ（テーブルや演算式など）が、図示しないメモリに記憶保持されている。そして、発振・制御回路１１は、各フィラメント５毎に、フィラメント電流観測工程で求めた観測対象量ΔＩｒから、上記相関関係に従って、可変設定電圧値Ｖｂを設定する。
【００５０】
この場合、図４の相関関係は、観測対象量ΔＩｒ（基準時電流変化量ΔＩｒ）が、「０」である場合（蛍光ランプ１の初期状態である場合）に、可変設定電圧値Ｖｂが前記既定電圧値Ｖａに一致し、且つ、観測対象量ΔＩｒが大きくなるに伴い（エミッタの残量が少なくなるに伴い）、可変設定電圧値Ｖｂが小さくなるように設定されている。従って、可変設定電圧値Ｖｂは、既定電圧値Ｖａ以下の値で、観測対象量ΔＩｒが大きくなるに伴い、小さくなるように設定される。
【００５１】
前記後側電圧調整期間では、各フィラメント５毎に、このように設定された可変設定電圧値Ｖｂの電圧が該フィラメント５に印加される。このため、予熱電圧調整工程でのフィラメント５の印加電圧の平均値（予熱電圧調整工程の期間でのフィラメント５の印加電圧の積分値を、該期間のトータルの時間Ｔａで除算した値）が、観測対象量ΔＩｒが大きくなるに伴い（エミッタの残量が少なくなるに伴い）、小さくなるように、予熱電圧調整工程でのフィラメント５の印加電圧が調整されることとなる。
【００５２】
以上のようにして、予熱電圧調整工程の制御処理が終了すると（時刻t3）、発振・制御回路１１は、前記放電点灯工程の制御処理を開始する。この放電点灯工程では、発振・制御回路１１は、図示を省略する回路を動作させることによって、フィラメント５，５間に高周波の交流電圧を印加し、これにより、フィラメント５，５間の放電を行わせて、蛍光ランプ１を点灯させる。また、この放電点灯工程では、各フィラメント５に、予熱通電工程での印加電圧（前記既定電圧値Ｖａおよび可変設定電圧値Ｖｂ）よりも小さい所定値Ｖｃ（図２（ａ）を参照）の電圧を印加するようにフィラメント予熱回路９を制御する。該所定値Ｖｃはあらかじめ定められた固定値である。
【００５３】
以上説明した予熱通電工程の制御処理によって、フィラメント電流観測工程で求めた観測対象量ΔＩｒが「０」となる場合には、フィラメント電流観測工程に続く前記予熱電圧調整工程の後側電圧調整期間での可変設定電圧値Ｖｂは、前記既定電圧値Ｖａと同じ値に設定される。このため、蛍光ランプ１の初回の始動時のように、エミッタの残量が当初と同じか、もしくは、それと同程度となっている初期状態での始動時の予熱通電工程では、図２（ａ）の仮想線のグラフc1で示すように、該予熱通電工程の全期間（前記予熱通電既定時間（Ｔ１＋Ｔａ）の期間）にわたって、各フィラメント５に既定電圧値Ｖａの電圧が印加され、該フィラメント５の通電・予熱が行われる。
【００５４】
この場合、各フィラメント５の温度は、図２（ｂ）の仮想線のグラフe1で示すように、予熱電圧調整工程の開始時（時刻t1）もしくはその近傍の時刻から、上昇していく。そして、該フィラメント５の温度は、予熱通電工程の終了時（時刻t3）までに、最終的に、ある一定の温度Ｔemp1に飽和する（以下、その温度Ｔemp1を飽和温度という）。
【００５５】
ここで、該飽和温度Ｔemp1が低すぎると、予熱通電工程に続く放電点灯工程でのエミッタのスパッタリングが発生して、該エミッタが飛散しやすくなる。また、飽和温度Ｔemp1が高すぎると、エミッタが蒸発しやすくなる。このため、本実施形態では、蛍光ランプ１の初回の始動時の予熱通電工程で、上記飽和温度Ｔemp1が、エミッタのスパッタリングや、蒸発を抑制し得る適切な温度になるように、前記既定電圧値Ｖａが設定されている。その飽和温度Ｔemp1は、例えば８５０°Ｃ程度の温度である。
【００５６】
なお、予熱通電工程でのフィラメント５の印加電圧が高いほど、フィラメント５の昇温が速くなるものの、該印加電圧が高すぎると、該フィラメント５の周辺で自己放電が発生しやすくなる。このため、本実施形態では、前記既定電圧値Ｖａは、上記自己放電が発生しないような値で、できるだけ大きい値に設定されている。また、前記電圧調整既定時間Ｔａは、その時間内で（放電点灯工程の開始時（時刻t3）までに）フィラメント５の温度が均一的に上記飽和温度Ｔemp1まで達するような時間で、できるだけ短い時間に設定されている。
【００５７】
一方、蛍光ランプ１のトータルの点灯時間の増加によって、各フィラメント５のエミッタの残量が少なくなると、蛍光ランプ１の始動時のフィラメント電流観測工程で求められる観測対象量（基準時電流変化量）ΔＩｒが大きくなる。そして、このように、観測対象量ΔＩｒが大きくなったフィラメント５に関する予熱通電工程では、該フィラメント５の印加電圧は、図２（ａ）の実線のグラフd1で示すように制御される。すなわち、予熱通電工程の開始時（時刻t0）から、前記電流観測既定時間Ｔ１と予熱電圧調整工程の前側電圧調整期間の時間Ｔ２との総和の時間（Ｔ１＋Ｔ２）の経過時（時刻t2）までは、フィラメント５の印加電圧は、前記既定電圧値Ｖａに保持されるものの、これに続く前記後側電圧調整期間では、フィラメント５の印加電圧が、既定電圧値Ｖａよりも低い可変設定電圧値Ｖｂに制御される。
【００５８】
このような状況では、エミッタの残量が蛍光ランプ１の初期状態よりも少なくなっているために、該エミッタを含めたフィラメント５の熱容量および抵抗値が、蛍光ランプ１の初期状態よりも小さくなっている。このため、フィラメント５の印加電圧が前記既定電圧値Ｖａに制御されている状態（前記前側電圧調整期間の終了時（時刻t2）までの期間）では、該フィラメント５の温度は、図２（ｂ）の実線のグラフf1で示すように、蛍光ランプ１の初期状態（グラフe1）よりも、早い速度で上昇していく。そして、前記後側電圧調整期間（時刻t2からt3までの期間）では、フィラメント５の印加電圧がＶａからＶｂに減少する（ひいては該フィラメント５の通電電流が減少する）ことで、該フィラメント５の温度の上昇が、前側電圧調整期間の終了時（時刻t2）までよりも緩やかになり、該温度が飽和していく。この場合、フィラメント５の最終的な飽和温度が、予熱通電工程の終了時（放電点灯工程の開始時）までに、蛍光ランプ１の初期状態における前記飽和温度Ｔemp1とほぼ同じ温度になるように、換言すれば、蛍光ランプ１の各回の始動時の予熱通電工程での各フィラメント５の最終的な飽和温度が、該フィラメント５に被着しているエミッタの残量によらずに、ほぼ一定の温度Ｔemp1に保たれるように、前記図４に示した観測対象量ΔＩｒと可変設定電圧値Ｖｂとの相関関係が設定されている。
【００５９】
このように本実施形態によれば、蛍光ランプ１の各回の始動時において、各フィラメント５に被着しているエミッタの残量によらずに、予熱通電工程の終了時（放電点灯工程の開始時）における該フィラメント５の温度を、ほぼ同一の適切な温度（前記飽和温度Ｔemp1）に保つことができる。ひいては、エミッタのスパッタリングや蒸発が発生するのを抑制し、蛍光ランプ１の寿命を向上させることができる。また、エミッタの残量によらずに、予熱通電工程のトータルの時間（Ｔ１＋Ｔａ）が必要最小限の時間に留めることができるので、予熱通電工程の時間をできるだけ短くし、蛍光ランプ１の点灯を迅速に開始することができる。
【００６０】
次に、本発明の第２実施形態を図５および図６を参照して説明する。図５（ａ），（ｂ）は、それぞれ本実施形態における蛍光ランプ１の始動時における各フィラメント５の印加電圧の経時変化と、該フィラメント５の温度の経時変化とをそれぞれ例示するグラフ、図６は観測対象量と後述する可変設定時間との相関関係を示すグラフである。なお、本実施形態における熱陰極蛍光ランプおよびその駆動回路は、第１実施形態と同じである。そして、本実施形態は、その熱陰極蛍光ランプの始動時の予熱通電工程の一部の制御処理のみが、第１実施形態と相違するものである。そこで、本実施形態の説明では、前記第１実施形態と同一の構成部分もしくは同一の処理部分については、第１実施形態と同一の参照符号を用い、詳細な説明を省略する。
【００６１】
図５（ａ），（ｂ）を参照して、本実施形態においても、蛍光ランプ１の始動時の予熱通電工程は、フィラメント観測工程と、予熱電圧調整工程とからなる。この場合、本実施形態では、予熱電圧調整工程の制御処理だけが、第１実施形態と相違し、フィラメント観測工程における制御処理と、予熱通電工程に続く放電点灯工程での制御処理は第１実施形態と同一である。
【００６２】
そこで、本実施形態における予熱電圧調整工程を以下に詳細に説明する。この予熱電圧調整工程の制御処理は、第１実施形態と同様に、フィラメント電流観測工程の終了時から所定時間Ｔａ（前記電圧調整既定時間Ｔａ）の期間において実行される処理であり、次のように実行される。すなわち、図５（ａ）を参照して、発振・制御回路１１は、フィラメント電流観測工程の終了時（時刻t1）から、各フィラメント５毎にフィラメント電流観測工程で求めた観測対象量ΔＩｒに応じて可変的に設定した設定時間Ｔ２’（以下、可変設定時間Ｔ２’という）が経過するまで（時刻t2'）の期間では、各フィラメント５の印加電圧を、フィラメント電流観測工程と同じ電圧値、すなわち、前記既定電圧値Ｖａに保持するようにフィラメント予熱回路９を制御する。なお、Ｔ２’≦Ｔａである。そして、発振・制御回路１１は、該可変設定時間Ｔ２’の経過時（時刻t2'）から、前記電圧調整既定時間Ｔａと可変設定時間Ｔ２’との差分の時間（ＴａからＴ２’を差し引いた残余の時間）だけ、各フィラメント５毎の印加電圧を、前記既定電圧値Ｖａよりも小さい所定値Ｖｂ’に保持するようにフィラメント予熱回路９を制御する。なお、所定値Ｖｂ’は、あらかじめ定めた固定値である。以降の本実施形態の説明では、前記既定電圧値Ｖａを第１既定電圧値Ｖａ、所定値Ｖｂ’を第２既定電圧値Ｖｂ’という。
【００６３】
補足すると、第２既定電圧値Ｖｂ’は、本発明における第２所定値に相当する。
【００６４】
本実施形態では、前記可変設定時間Ｔ２’は、次のように設定される。すなわち、図６のグラフで示すように、観測対象量ΔＩｒと可変設定時間Ｔ２’との間の相関関係があらかじめ設定されており、この相関関係を表すデータ（テーブルや演算式など）が、図示しないメモリに記憶保持されている。そして、発振・制御回路１１は、各フィラメント５毎に、フィラメント電流観測工程で求めた観測対象量ΔＩｒから、上記相関関係に従って、可変設定時間Ｔ２’を設定する。
【００６５】
この場合、図６の相関関係は、観測対象量ΔＩｒ（基準時電流変化量ΔＩｒ）が、「０」である場合（蛍光ランプ１の初期状態である場合）に、可変設定時間Ｔ２’が電圧調整工程のトータルの時間である前記電圧調整既定時間Ｔａに一致し、且つ、観測対象量ΔＩｒが大きくなるに伴い（エミッタの残量が少なくなるに伴い）、可変設定時間Ｔ２’が短くなるように設定されている。従って、可変設定時間Ｔ２’は、電圧調整既定時間Ｔａ以下の値で、観測対象量ΔＩｒが大きくなるに伴い、短くなるように設定される。
【００６６】
予熱電圧調整工程では、その開始時（時刻t1）から、各フィラメント５毎に上記のように設定された可変設定時間Ｔ２’の経過時までの期間で、前記第１既定電圧値Ｖａの電圧が該フィラメント５に印加される。そして、該可変設定時間Ｔ２’の経過時（時刻t2'）から、前記電圧調整既定時間Ｔａと可変設定時間Ｔ２’との差分の時間（Ｔａ−Ｔ２’）が「０」でない場合には、第１既定電圧値Ｖａの電圧の印加に続いて、当該差分の時間だけ、第２既定電圧値Ｖｂ’（＜Ｖａ）の電圧がフィラメント５に印加されることとなる。このため、予熱電圧調整工程でのフィラメント５の印加電圧の平均値が、観測対象量ΔＩｒが大きくなるに伴い（エミッタの残量が少なくなるに伴い）、小さくなるように、予熱電圧調整工程でのフィラメント５の印加電圧が調整されることとなる。
【００６７】
以上説明した以外の構成および制御処理は、前記第１実施形態と同一である。
【００６８】
以上説明した本実施形態の予熱通電工程の制御処理によって、前記観測対象量ΔＩｒが「０」となるような蛍光ランプ１の初期状態での始動時においては、前記可変設定時間Ｔ２’が前記電圧調整既定時間Ｔａと同じ値の時間に設定される。このため、蛍光ランプ１の初期状態での始動時の予熱通電工程では、図５（ａ）の仮想線のグラフc2で示すように、該予熱通電工程の全期間（前記予熱通電既定時間（Ｔ１＋Ｔａ）の期間）にわたって、各フィラメント５に第１既定電圧値Ｖａの電圧が印加され、該フィラメント５の通電・予熱が行われる。従って、この場合におけるフィラメント５への電圧の印加の仕方は、第１実施形態と全く同じである。
【００６９】
このため、蛍光ランプ１の初期状態での始動時における各フィラメント５の温度は、図５（ｂ）の仮想線のグラフe2で示すように、第１実施形態の場合（図２（ｂ）のグラフe1を参照）と同じ形態で上昇して、予熱通電工程の終了時（時刻t3）までに、エミッタのスパッタリングや蒸発を抑制し得る適切な飽和温度Ｔemp1に飽和する。
【００７０】
一方、蛍光ランプ１のトータルの点灯時間の増加によって、各フィラメント５のエミッタの残量が少なくなり、蛍光ランプ１の始動時のフィラメント電流観測工程で求められる観測対象量（基準時電流変化量）ΔＩｒが大きくなると、予熱通電工程でのフィラメント５の印加電圧は、図５（ａ）の実線のグラフd2で示すように制御される。すなわち、予熱通電工程の開始時（時刻t0）から、前記電流観測既定時間Ｔ１と可変設定時間Ｔ２’との総和の時間（Ｔ１＋Ｔ２’）の経過時（時刻t2'）までは、フィラメント５の印加電圧は、前記第１既定電圧値Ｖａに保持されるものの、これに続く期間（時刻t2'から時刻t3までの期間）では、フィラメント５の印加電圧が、第１既定電圧値Ｖａよりも低い第２既定電圧値Ｖｂ’に制御される。
【００７１】
この場合、フィラメント５の印加電圧が前記第１既定電圧値Ｖａに制御されている状態（前記可変設定時間Ｔ２’の期間の終了時（時刻t2'）までの期間）では、フィラメント５の温度は、図５（ｂ）の実線のグラフf2で示すように、蛍光ランプ１の初期状態（グラフe2）よりも、早い速度で上昇していく。そして、可変設定時間Ｔ２’の期間に続く期間（時刻t2'からt3までの期間）では、フィラメント５の印加電圧がＶａからＶｂ’に減少する（ひいては該フィラメント５の通電電流が減少する）ことで、該フィラメント５の温度の上昇が緩やかになり、該温度が飽和していく。この場合、フィラメント５の最終的な飽和温度が、予熱通電工程の終了時（放電点灯工程の開始時）までに、蛍光ランプ１の初期状態における前記飽和温度Ｔemp1とほぼ同じ温度になるように、換言すれば、蛍光ランプ１の各回の始動時の予熱通電工程での各フィラメント５の最終的な飽和温度が、該フィラメント５に被着しているエミッタの残量によらずに、ほぼ一定の温度Ｔemp1に保たれるように、前記図６に示した観測対象量ΔＩｒと可変設定時間Ｔ２’との相関関係が設定されている。
【００７２】
このように本実施形態によれば、第１実施形態と同様に、蛍光ランプ１の各回の始動時において、各フィラメント５に被着しているエミッタの残量によらずに、予熱通電工程の終了時（放電点灯工程の開始時）における該フィラメント５の温度を、ほぼ同一の適切な温度（前記飽和温度Ｔemp1）に保つことができる。ひいては、エミッタのスパッタリングや蒸発が発生するのを抑制し、蛍光ランプ１の寿命を向上させることができる。また、エミッタの残量によらずに、予熱通電工程のトータルの時間（Ｔ１＋Ｔａ）が必要最小限の時間に留めることができるので、予熱通電工程の時間をできるだけ短くし、蛍光ランプ１の点灯を迅速に開始することができる。
【００７３】
なお、以上説明した各実施形態では、フィラメント電流観測工程でフィラメント５に印加する電圧値と、予熱電圧調整工程の初期（前記時刻t1からt2またはt2'までの期間）にフィラメント５に印加する電圧値とを同じにしたが、必ずしも、それらの電圧値を同じにする必要はない。例えば、予熱電圧調整工程の初期にフィラメント５に印加する電圧値を、前記既定電圧値Ｖａと異なる所定値にしてもよい。
【００７４】
また、前記各実施形態では、前記観測対象量ΔＩｒが「０」でない場合に、予熱電圧調整工程で、フィラメント５の印加電圧を２段階に変化させるようにしたが、より多段階に、もしくは連続的にフィラメント５の印加電圧を変化させるようにしてもよい。例えば、予熱電圧調整工程の開始時にフィラメント５に印加する電圧値と、該予熱電圧調整工程の終了時にフィラメント５に印加する電圧値とのうちの少なくともいずれか一方を、観測対象量ΔＩｒに応じて設定し、予熱電圧調整工程の期間におけるフィラメント５の印加電圧を、該期間の開始時の電圧値から終了時の電圧値まで、徐々に変化させるようにしてもよい。
【００７５】
また、前記第１実施形態では、フィラメント５の印加電圧を既定電圧値Ｖａから可変設定電圧値Ｖｂに変化させるタイミング（時刻t2）を固定的なタイミングとしたが、観測対象量ΔＩｒに応じて可変設定電圧値Ｖｂを変化させることに加えて、上記タイミングをも観測対象量ΔＩｒに応じて変化させるようにしてもよい。同様に、前記第２実施形態において、前記可変設定時間Ｔ２’を観測対象量ΔＩｒに応じて変化させることに加えて、前記電圧値Ｖｂ’をも、観測対象量ΔＩｒに応じて変化させるようにしてもよい。
【図面の簡単な説明】
【００７６】
【図１】本発明の第１実施形態における熱陰極蛍光ランプとその駆動回路の要部構成とを概略的に示す図。
【図２】図２（ａ），（ｂ）はそれぞれ、第１実施形態におけるフィラメントの印加電圧の経時変化と、該フィラメントの温度の経時変化とを例示するグラフ。
【図３】図３（ａ），（ｂ）は、それぞれ、フィラメント電流観測工程におけるフィラメントの印加電圧と、通電電流とを例示するグラフ。
【図４】第１実施形態での観測対象量と可変設定電圧との関係を示すグラフ。
【図５】図５（ａ），（ｂ）はそれぞれ、本発明の第２実施形態におけるフィラメントの印加電圧の経時変化と、該フィラメントの温度の経時変化とを例示するグラフ。
【図６】第２実施形態での観測対象量と可変設定時間との関係を示すグラフ。
【符号の説明】
【００７７】
１…熱陰極蛍光ランプ、５…フィラメント。
【図１】
2009217945.tif 000003
【図２】
2009217945.tif 000004
【図３】
2009217945.tif 000005
【図４】
2009217945.tif 000006
【図５】
2009217945.tif 000007
【図６】
2009217945.tif 000008